(57)【要約】      （修正有）【課題】容器を被覆するフィルムを容易に剥がすことができ、かつ、商品情報を容易に把握できるフィルム付き包装容器を提供する。【解決手段】フィルム付き包装容器は、容器１０と、前記容器１０を包装するフィルム２０と、一部が前記フィルム２０の周縁部からはみ出るように貼り付けられ、前記一部の少なくとも端部は前記フィルム２０に貼り付けられていない剥離用ラベル３０と、を有している。前記剥離用ラベル３０には、少なくとも商品情報が印刷されている。【選択図】図１
0003211348.tif 000002
【実用新案登録請求の範囲】
【請求項１】
容器と、
前記容器を包装するフィルムと、
一部が前記フィルムの周縁部からはみ出るように貼り付けられ、前記一部の少なくとも端部は前記フィルムに貼り付けられていない剥離用ラベルと、
を備え、
前記剥離用ラベルには、少なくとも商品情報が印刷されていることを特徴とするフィルム付き包装容器。
【請求項２】
前記フィルムの周縁部には、前記周縁部の位置を示す位置情報が示されていることを特徴とする請求項１に記載のフィルム付き包装容器。
【請求項３】
前記商品情報は、管理バーコード、使用期限及びロットの少なくとも１つ以上を含むことを特徴とする請求項１又は２のいずれかに記載のフィルム付き包装容器。
【請求項４】
前記剥離用ラベルは、前記フィルムの周縁部からはみ出る外方延在部を有し、
前記外方延在部のフィルム側の基端側領域は前記フィルムに貼り付けられていることを特徴とする請求項１乃至３のいずれか１項に記載のフィルム付き包装容器。
【考案の詳細な説明】
【技術分野】
【０００１】
本考案は、容器と、容器を包装するフィルムを有するフィルム付き包装容器に関する。
【背景技術】
【０００２】
従来から、液体、クリーム状、ゲル状等からなる化粧料を収容する容器をシュリンクフィルムで被覆することが知られている。例えば、特許文献１では、スプレー型の容器をシュリンクフィルムで被覆する態様が開示されている。
【先行技術文献】
【特許文献】
【０００３】
【特許文献１】特開２００５−２８９４７３号公報
【考案の概要】
【考案が解決しようとする課題】
【０００４】
従来のフィルム付き包装容器では、シュリンク方式が採用されており、容器をフィルムで覆った後で、重なりあうフィルムの周縁部を静電気により貼り合わせて袋を作り、熱を加える等してフィルムをシュリンクすることで容器を被覆している。このような態様において、例えばシュリンクフィルムが透明である場合には、フィルムの合わせ目がどこかわからず、フィルムの周縁部の端部のいずれが上側に位置づけられているのかもわかりづらい。
【０００５】
以上のような点に鑑み、本考案は、容器を被覆するフィルムを容易に剥がすことができるフィルム付き包装容器を提供する。
【課題を解決するための手段】
【０００６】
本考案によるフィルム付き包装容器は、
容器と、
前記容器を包装するフィルムと、
一部が前記フィルムの周縁部からはみ出るように貼り付けられ、前記一部の少なくとも端部は前記フィルムに貼り付けられていない剥離用ラベルと、
を備え、
前記剥離用ラベルに、少なくとも商品情報が印刷されてもよい。
【０００７】
本考案によるフィルム付き包装容器において、
前記フィルムの周縁部に、前記周縁部の位置を示す位置情報が示されてもよい。
【０００８】
本考案によるフィルム付き包装容器において、
前記商品情報は、管理バーコード、使用期限及びロットの少なくとも１つ以上を含んでもよい。
【０００９】
本考案によるフィルム付き包装容器において、
前記剥離用ラベルは、前記フィルムの周縁部からはみ出る外方延在部を有し、
前記外方延在部のフィルム側の基端側領域は前記フィルムに貼り付けられてもよい。
【考案の効果】
【００１０】
本考案で少なくとも端部がフィルムに貼り付けられていない剥離用ラベルを採用した場合には、剥離用ラベルの端部を把持して剥離用ラベルを引っ張るだけでフィルムを容器から剥がすことができる。また、剥離用ラベルに商品情報が印刷されている態様を採用した場合には、従前と比べて用いる部材の点数を増やすことなく、フィルムを簡易に剥がせるという効果を得ることができる。
【図面の簡単な説明】
【００１１】
【図１】図１は、本実施の形態によるフィルム付き包装容器の一態様を示した側方図である。
【図２】図２（ａ）は本実施の形態によるフィルム付き包装容器の別の態様を示した側方図であり、図２（ｂ）は図２（ａ）に示した態様の底面図である。
【図３】図３は、本実施の形態によるフィルム付き包装容器のさらに別の態様を示した側方図である。
【図４】図４は、本実施の形態で用いられるフィルム及び剥離用ラベルを拡大して示した図である。
【図５】図５は、本実施の形態で用いられる包装前のフィルムを示した図である。
【考案を実施するための形態】
【００１２】
図１乃至図３に示すように、本実施の形態のフィルム付き包装容器は、容器１０と、容器１０を包装するフィルム２０と、一部がフィルム２０の周縁部からはみ出るように貼り付けられ、一部の端部はフィルム２０に貼り付けられていない剥離用ラベル３０と、を有してもよい。
【００１３】
剥離用ラベル３０には、少なくとも商品情報が印刷されてもよい。剥離用ラベル３０に印刷される商品情報は、商品の管理に関する管理バーコード、商品に使用の期限に関する使用期限（商品が食品の場合には賞味期限を含む。）及び商品のロットの少なくとも１つ以上を含んでもよい（図４参照）。当然ながら、剥離用ラベル３０に印刷される商品情報は、管理バーコード、使用期限及びロットの全てを含んでもよい。商品情報に商品の管理に関する情報が含まれている場合には、剥離用ラベル３０に印刷された情報を用いて商品をトレースすることができる点で有益である。
【００１４】
剥離用ラベル３０は、適宜の場所に貼り付けられる。図１及び図３に示す態様では、剥離用ラベルは、容器１０の側面に対応する領域のうち比較的上方位置（例えば高さ方向を３等分したときの最も上方領域）に貼り付けられている。このような位置に剥離用ラベル３０を貼り付けることで、剥離用ラベル３０を把持してフィルム２０を剥がしやすくすることができる。図１及び図３に示すような態様に限られることはなく、図２に示すように、剥離用ラベルは容器１０の底面に対応する位置に貼り付けられてもよい。
【００１５】
本実施の形態で用いられる容器１０としては、図１に示すようなチューブ形状のものであってもよいし、図２に示すようなカップ形状のものであってもよいし、図３に示すようなボトル形状のものであってもよく、その形状は特に限定されない。容器１０は、例えば液体、クリーム状、ゲル状等からなる化粧料を収容してもよい。化粧料においては商品情報が重要な情報となることから、剥離用ラベル３０に商品情報が印刷されていることは有益なものとなる。容器１０は、本体部１１と、本体部１１に取り付けれれた蓋部１２とを有してもよい。
【００１６】
本実施の形態で用いられるフィルム２０としては、例えば透明なシュリンクフィルムを用いることができる。容器１０を包装する際にフィルム２０の両周縁部は重複するように位置づけられてもよく、フィルム２０の第一周縁部２１は容器１０に接触し、フィルム２０の第二周縁部２２はフィルム２０の第一周縁部２１を覆うようにして設けられてもよい（図５及び図１乃至図３参照）。
【００１７】
前述した剥離用ラベル３０は第二周縁部２２に貼り付けられてもよい。剥離用ラベル３０は第二周縁部２２の外面（容器１０と反対側の面）に貼り付けられてもよいし内面（容器１０側の面）に貼り付けられてもよい。剥離用ラベル３０をフィルム２０の外面に貼り付ける態様を採用した場合には、剥離用ラベル３０をフィルム２０に貼り付ける作業工程を簡易にすることができる。他方、剥離用ラベル３０をフィルム２０の内面に貼り付ける態様を採用した場合には、剥離用ラベル３０がフィルム２０から誤って剥がれてしまう可能性を低減できる。
【００１８】
フィルム２０の周縁部には、周縁部の位置を示す位置情報が示されていてもよい。一例としては、位置情報として、斜線模様等の模様が周縁部に印刷されていてもよいし（図４及び図５参照）、文字等が周縁部に印刷されていてもよい。模様を周縁部に印刷する場合には、図５に示すように、周縁部に沿って全体的に模様が印刷されてもよい。また、フィルム２０の第一周縁部２１及び第二周縁部２２の両方に斜線模様等の位置情報が印刷されてもよい。印刷は、第一周縁部２１のうち第二周縁部２２と接触する面及び第二周縁部２２のうち第一周縁部２１と接触する面になされてもよいし、第一周縁部２１と第二周縁部２２において同じ面（おもて面同士又は裏面同士）になされてもよい。
【００１９】
本実施の形態では、剥離用ラベル３０のフィルム２０の周縁部からはみ出た部分を外方延在部３１と呼ぶ（図４参照）。この外方延在部３１のフィルム２０側の基端側領域３３はフィルム２０に貼り付けられており、外方延在部３１のフィルム２０と反対側の先端側領域３２はフィルム２０に貼り付けられていなくてもよい。この態様によれば、ユーザが先端側領域３２を把持して引っ張ることで、基端側領域３３がフィルム２０から剥がれ、その後で、第二周縁部２２が第一周縁部２１から分離されることになる。
【００２０】
《作用・効果》
次に、上述した構成からなる本実施の形態による作用・効果であって、未だ説明していないものを中心に説明する。
【００２１】
本実施の形態において、一部がフィルム２０の周縁部からはみ出るように貼り付けられ（例えば外方延在部３１が設けられ）、一部（例えば外方延在部３１）の少なくとも端部がフィルム２０に貼り付けられていない剥離用ラベル３０を採用した場合には、剥離用ラベル３０の端部を把持して引っ張るだけでフィルム２０を容器１０から剥がすことができる点で有益である。剥離用ラベル３０に商品情報が印刷されている態様を採用した場合には、剥離用ラベル３０は商品情報を把握することを兼ねることができ、有益である。より具体的には、従来から商品をトレースするための情報がラベルに印刷されていたが、剥離用ラベル３０に商品情報を印刷することで、従前と比べて用いる部材の点数を増やすことなく、フィルム２０を簡易に剥がせるという効果を得ることができる点で有益である。
【００２２】
また、剥離用ラベル３０のうち、フィルム２０の周縁部からはみ出た外方延在部３１のフィルム２０側の基端側領域３３がフィルム２０に貼り付けられている態様を採用した場合には、ある程度の力を加えないと剥離用ラベル３０の基端側領域３３がフィルム２０から剥がれない。このため、輸送時の振動等の何らしかの要因で誤って剥離用ラベル３０によってフィルム２０が剥がれてしまうことを防止できる。
【００２３】
剥離用ラベル３０には、図４に示すように、ＯＰＥＮというような開封を示す文言や開封方向を示す矢印が印刷されていてもよい。これらの情報が印刷されている態様を採用した場合には、ユーザがより容易に剥離用ラベル３０を引っ張ることでフィルム２０を剥がすことを認識できる点で有益である。
【００２４】
剥離用ラベル３０とフィルム２０との接着強度は、フィルム２０の第一周縁部２１と第二周縁部２２との間の静電気による接着強度よりも強くなっていてもよい。このような態様を採用することで、剥離用ラベル３０を引っ張った際にフィルム２０と剥離用ラベル３０が剥がれる前に、第二周縁部２２を第一周縁部２１から剥がすことができる点で有益である。
【００２５】
フィルム２０の周縁部に周縁部の位置を示す斜線模様等の位置情報が示されている態様を採用した場合には、どの位置がフィルム２０の周縁部かを容易に把握することができ、ひいては、フィルム２０を容易に剥がすことができる点でも有益である。
【００２６】
また、斜線模様等の模様をフィルム２０の周縁部に印刷することで、フィルム２０の第一周縁部２１と第二周縁部２２との間で発生する静電気による力を弱めることができる点で有益である。
【００２７】
印刷が第一周縁部２１のうち第二周縁部２２と接触する面と第二周縁部２２のうち第一周縁部２１と接触する面になされる場合には、第一周縁部２１と第二周縁部２２との間で発生する静電気による力を弱めることができる点で有益である。
【００２８】
印刷が第一周縁部２１と第二周縁部２２で同じ面（おもて面同士又は裏面同士）になされる態様を採用した場合には、位置情報の印刷されたおもて面と何も印刷されていない裏面との間で静電気による力が発生するか、又は、位置情報の印刷された裏面と何も印刷されていないおもて面との間で静電気による力が発生することになる。この場合でも、静電気による力を一定程度弱めることができる。また、この態様を採用した場合には、印刷を行うという工程を簡易にすることができる点で有益である。なおこの態様では、静電気による力を弱めることに寄与しない部分にも印刷を施すことになるが、フィルム２０を巻いてロール状にした際に、両端部（繰出方向に直交する方向における両端部であり、周縁部２１，２２に対応する領域）での厚みを均一にすることができる点で有益である。
【００２９】
商品情報が管理バーコード、使用期限及びロットの少なくとも１つを含んでいる場合には、剥離用ラベル３０を用いて、これらの情報を管理できる点で有益である。また、前述したように、このような情報を剥離用ラベル３０に印刷することで、従前と比べて用いる部材の点数を増やすことなく、フィルム２０を簡易に剥がせるという効果を得ることができる点で有益である。
【００３０】
上述した実施の形態の記載は、実用新案登録請求の範囲に記載された考案を説明するための一例に過ぎない。また、出願当初の実用新案登録請求の範囲の記載は本件明細書の範囲内で適宜変更することもでき、その範囲を拡張及び変更することもできる。
【符号の説明】
【００３１】
１０        容器
２０        フィルム
２１        第一周縁部
２２        第二周縁部
３０        剥離用ラベル
３１        外方延在部
３３        基端側領域
３２        先端側領域
【図１】
0003211348.tif 000003
【図２】
0003211348.tif 000004
【図３】
0003211348.tif 000005
【図４】
0003211348.tif 000006
【図５】
0003211348.tif 000007